(57)【要約】【課題】  大きな積載荷重を支持できるうえ、地震に対する充分な剛性と耐力を有し、しかも、コストダウンと施工性の向上が図れる建物の床構造を提供する。【解決手段】  建物の１階の床スラブは、スラブ下面に梁形の無いフラットスラブ２からなる。フラットスラブ２の外周およびフラットスラブ２平面上には、ラーメン構造からなる上部架構を支持するための基礎４が所定の離間間隔をおいて配設されるとともに、基礎４、４同士は地中梁５で連結されている。そして、フラットスラブ２は、基礎４および地中梁５と干渉しないように所定の離間間隔をおいて格子状に配設された基礎柱３によって支持されている。基礎柱３の柱脚部には、平面視円形のフーチング３ａが形成されるとともに、基礎柱３の柱頭部には、上部側に広い漏斗状のキャピタル３ｂが形成されている。【選択図】      図２
2005232909.tif 000002
【特許請求の範囲】
【請求項１】
床スラブを形成するフラットスラブと、当該フラットスラブを支持するために所定の離間間隔をおいて配設される基礎柱と、前記床スラブ上に構築される上部架構を支持する基礎と、当該基礎同士を連結する地中梁とを備えることを特徴とする建物の床構造。
【請求項２】
前記フラットスラブのスラブ筋は、直線状の鉄筋を所定の離間間隔をおいて複数連結した鉄筋ユニットを配設してなることを特徴とする請求項１に記載の建物の床構造。
【発明の詳細な説明】
【技術分野】
【０００１】
本発明は、建物の床構造に関し、特に、建物１階の床構造に関する。
【背景技術】
【０００２】
１階床の積載荷重が大きな工場や倉庫などでは、従来より床の構造形式としてフラットスラブ構造（無梁床版構造）が採用されるケースが多い。しかし、上部構造が非常に重い場合、フラットスラブ構造だけでは大きな地震力を処理することが困難なため、１階の床構造をラーメン構造にせざるを得ない場合がある。
なお、フラットスラブ構造に関する先行技術文献としては、例えば特許文献１などがある。特許文献１では、柱にキャピタル（支板）を設けることなく、フラットスラブを形成する技術が開示されている。
【特許文献１】特開２０００−２９７４９３号公報  （第２−４頁、第１図）
【発明の開示】
【発明が解決しようとする課題】
【０００３】
しかしながら、１階の床構造をラーメン構造とした場合、床荷重を支持するために地中小梁などを配置しなければならず、型枠工事や土工事などが増加し、コストアップになるという問題が生じる。
本発明は、上述する問題点に鑑みてなされたもので、大きな積載荷重を支持できるうえ、地震に対する充分な剛性と耐力を有し、しかも、コストダウンと施工性の向上が図れる建物の床構造を提供することを目的とする。
【課題を解決するための手段】
【０００４】
上記目的を達成するため、本発明に係る建物の床構造では、床スラブを形成するフラットスラブと、当該フラットスラブを支持するために所定の離間間隔をおいて配設される基礎柱と、前記床スラブ上に構築される上部架構を支持する基礎と、当該基礎同士を連結する地中梁とを備えることを特徴とする。
本発明では、上部架構に作用する地震や強風などの水平力は、上部架構を支持する基礎および基礎同士を連結する地中梁に主として伝達される。即ち、上部架構に作用する地震力は上部架構を支持する基礎および基礎同士を連結する地中梁が主として負担し、床スラブに作用する大きな積載荷重はフラットスラブおよびフラットスラブを支持する基礎柱が主として負担する。これにより、大きな積載荷重を支持し、地震に対する充分な剛性と耐力を有する床構造が可能となる。しかも、地中梁によって地震力などを集中的に処理できるので、合理的な構造設計を行うことができる。
さらに、本発明では、地中小梁がないため、型枠工事および土工事が激減してコストダウンが図れるうえ、フラットスラブを使用しているため、梁形による凹凸が少なくなり、型枠工事および土工事における施工性が向上する。
加えて、本発明では、積載荷重が部分的に大きくなる場合には、当該床部分を支持する基礎柱の断面を大きくしたり、当該床部分のみ密に基礎柱を配置すればよく、積載荷重の偏在にも柔軟に対応することができる。
【０００５】
また、本発明に係る建物の床構造では、前記フラットスラブのスラブ筋は、直線状の鉄筋を所定の離間間隔をおいて複数連結した鉄筋ユニットを配設してもよい。
本発明では、フラットスラブの配筋をユニット化することにより、工期の短縮および施工の合理化を図ることができる。
なお、本発明によれば、従来のラーメン構造に比べて使用する鉄筋量は増加するが、圧接や鉄筋架台などの副資材が減少するため、鉄筋のトータルコストは削減する。
【発明の効果】
【０００６】
本発明によれば、床スラブに作用する大きな積載荷重はフラットスラブおよびフラットスラブを支持する基礎柱が主として負担し、上部架構に作用する地震力は上部架構を支持する基礎および基礎同士を連結する地中梁が主として負担するので、大きな積載荷重を支持できるうえ、地震に対する充分な剛性と耐力を有し、しかも、コストダウンと施工性の向上が図れる建物の床構造を実現することができる。
【発明を実施するための最良の形態】
【０００７】
以下、本発明に係る建物の床構造の実施形態について図面に基いて説明する。
図１は、本発明に係る建物の床構造の実施形態の一例を示す１階の部分床梁伏図である。また、図２は、図１におけるＡ−Ａ矢視断面図である。
ここで対象とする建物は、重量積載物が載置される工場または倉庫などを想定している。建物の１階の床スラブは、スラブ下面に梁形の無いフラットスラブ２からなる。フラットスラブ２の外周およびフラットスラブ２平面上には、ラーメン構造からなる図示しない上部架構を支持するための基礎４が所定の離間間隔をおいて配設されるとともに、基礎４、４同士は地中梁５で連結されている。そして、フラットスラブ２は、基礎４および地中梁５と干渉しないように所定の離間間隔をおいて格子状に配設された基礎柱３によって支持されている。
【０００８】
基礎柱３は、地中に埋設される独立柱であって、断面円形の鋼管コンクリート柱あるいは鉄筋コンクリート柱からなる。基礎柱３の柱脚部には、平面視円形のフーチング３ａが形成されるとともに、基礎柱３の柱頭部には、上部側に広い漏斗状のキャピタル３ｂが形成されている。
【０００９】
上部架構を支持する断面四角形の基礎４は、鉄筋コンクリート造からなる埋設基礎であり、その柱脚部には平面視四角形のフーチング４ａが形成されている。また、基礎４、４同士を連結する地中梁５も断面四角形の鉄筋コンクリート造である。
【００１０】
フラットスラブ２のスラブ筋は、複数の鉄筋ユニット（図示省略）から構成される。鉄筋ユニットは、直線状の鉄筋を格子状に組んだものでもよいし、あるいは、可撓性の鉄筋保持材を用いて直線状の鉄筋をスダレ状に組んだものでもよい。
【００１１】
本実施形態による建物の床構造１では、床スラブに作用する大きな積載荷重はフラットスラブ２およびフラットスラブ２を支持する基礎柱３が主として負担し、上部架構に作用する地震力は上部架構を支持する基礎４および基礎４、４同士を連結する地中梁５が主として負担する。これにより、大きな積載荷重を支持し、地震に対する充分な剛性と耐力を有する床構造が可能となる。しかも、地中梁５によって地震力などを集中的に処理できるので、合理的な構造設計を行うことができる。
また、本実施形態による建物の床構造１では、地中小梁がないため、型枠工事および土工事が激減してコストダウンが図れるうえ、フラットスラブ２を使用しているため、梁形による凹凸が少なくなり、型枠工事および土工事における施工性が向上する。
さらに、本実施形態による建物の床構造１では、フラットスラブ２の配筋をユニット化することにより、工期の短縮および施工の合理化を図ることができる。
【００１２】
以上、本発明に係る建物の床構造の実施形態について説明したが、本発明は上記の実施形態に限定されるものではなく、その趣旨を逸脱しない範囲で適宜変更可能である。例えば、上記の実施形態では、床スラブの積載荷重は均一であることを想定しているが、積載荷重が偏在する場合には、積載荷重が大きくなる床部分に配置された基礎柱の断面を大きくしたり、当該床部分のみ密に基礎柱を配置すればよい。また、上記の実施形態では、円形断面の基礎柱を使用したが、断面が四角形でもよいことは言うまでもない。
【図面の簡単な説明】
【００１３】
【図１】本発明に係る建物の床構造の実施形態の一例を示す１階の部分床梁伏図である。
【図２】図１におけるＡ−Ａ矢視断面図である。
【符号の説明】
【００１４】
１  床構造
２  フラットスラブ
３  基礎柱
４  基礎
５  地中梁
【図１】
2005232909.tif 000003
【図２】
2005232909.tif 000004